(57)【要約】【課題】妻側端部感知バーの取り付け及び取り外しを迅速容易に行えるようにした可搬式作業台を提供する。【解決手段】天板１の両端に梯子状の脚体２，２を設け、天板１の四隅部に手掛かり棒５を立設した可搬式作業台において、天板１の短手方向に対向する両手掛かり棒５，５の上端部間に、天板１の妻側端部であることを知らせるための妻側端部感知バー７を架け渡すにあたり、妻側端部感知バー７の基端部８を、天板１の短手方向に対向する両手掛かり棒５，５の一方の手掛かり棒５の上端部に、妻側端部感知バー７が天板１の長手方向と直交する面に沿って回動するように軸着し、妻側端部感知バー７の先端部に形成した係止突部９を、他方の手掛かり棒５の上端部側面に設けた係止孔１０に係脱自在に係入するようにしている。【選択図】図１
2011169069.tif 000002
【特許請求の範囲】
【請求項１】
天板の両端に梯子状の脚体を設け、天板の四隅部に手掛かり棒を立設した可搬式作業台において、天板の短手方向に対向する両手掛かり棒の上端部間に、天板の妻側端部であることを知らせるための妻側端部感知バーを架け渡すにあたり、妻側端部感知バーの基端部を、天板の短手方向に対向する両手掛かり棒の一方の手掛かり棒の上端部に、この感知バーが天板の長手方向と直交する面に沿って回動するように軸着し、妻側端部感知バーの先端部に形成した係止突部を他方の手掛かり棒の上端部側面に設けた係止孔に係脱自在に係入するようにしてなる可搬式作業台。
【請求項２】
前記一方の手掛かり棒の下端部側面には、妻側端部感知バーをこの一方の手掛かり棒に沿うように回動して折り畳んだ時に前記係止突部が係脱自在に係入する係止孔を設けてなる請求項１に記載の可搬式作業台。
【請求項３】
前記妻側端部感知バーの係止突部は、バー本体部の弾性力によって、前記他方の手掛かり棒の上端部側面に設けた前記係止孔に常時係入するように付勢される請求項１に記載の可搬式作業台。
【請求項４】
前記妻側端部感知バーの係止突部は、バー本体部の弾性力によって、前記一方の手掛かり棒の上端部側面に設けた前記係止孔に常時係入するように付勢される請求項２に記載の可搬式作業台。
【発明の詳細な説明】
【技術分野】
【０００１】
本発明は、建設現場などにおいて天井の内装仕上げや天井内の配線、配管などの作業を行う時に使用される可搬式作業台に関する。
【背景技術】
【０００２】
従来作業者が天板の上に乗って上記のような作業を行う場合、作業者は、天板から足を踏み外さないよう足元の作業位置を確認しながら作業をしなくてはいけないと思いつつも、実際の作業では、天板の端部、特に妻側端部の確認が難しく、その妻側端部から足の踏み外し現象が発生し易い状況にある。
【０００３】
本発明の出願人は、先に、梯子状脚体を上り下りする際の不測の落下を防止するために天板の四隅部に立設されている手掛かり棒を利用し、天板の短手方向に対向する両手掛かり棒の上端部間に妻側端部感知バーを架け渡し、作業者がこの感知バーに触った時にそこが天板の妻側端部であることを作業者に感知させ、それによって天板上での作業中に天板の妻側端部からの不測の落下を未然に防ぐようにした可搬式作業台を出願している。
【発明の概要】
【発明が解決しようとする課題】
【０００４】
先の出願の作業台にあっては、天板の短手方向に対向する両手掛かり棒の上端部間に、妻側感知バーの両端部を夫々取付具を介して脱着自在に取り付けるようにしているため、妻側感知バーの取付け及び取外しに手間と時間がかかるという問題があった。
【０００５】
本発明は、上記の事情に鑑み、妻側端部感知バーの取り付け及び取り外しを迅速容易に行えるようにした可搬式作業台を提供することを目的とする。
【課題を解決するための手段】
【０００６】
上記課題を解決するための手段を、後述する実施形態の参照符号を付して説明すると、請求項１は、天板１の両端に梯子状の脚体２，２を設け、天板１の四隅部に手掛かり棒５を立設した可搬式作業台において、天板１の短手方向に対向する両手掛かり棒５，５の上端部間に、天板１の妻側端部であることを知らせるための妻側端部感知バー７を架け渡すにあたり、妻側端部感知バー７の基端部８を、天板１の短手方向に対向する両手掛かり棒５，５の一方の手掛かり棒５の上端部に、この感知バー７が天板１の長手方向と直交する面に沿って回動するように軸着し、妻側端部感知バー７の先端部に形成した係止突部９を、他方の手掛かり棒５の上端部側面に設けた係止孔１０に係脱自在に係入するようにしてなることを特徴とする。
【０００７】
請求項２は、請求項１に記載の可搬式作業台において、前記一方の手掛かり棒５の下端部側面には、妻側端部感知バー７をこの一方の手掛かり棒５に沿うように回動して折り畳んだ時に前記係止突部９が係脱自在に係入する係止孔１１を設けてなることを特徴とする。
【０００８】
請求項３は、請求項１に記載の可搬式作業台において、前記妻側端部感知バー７の係止突部９は、バー本体部７ｏの弾性力によって、前記他方の手掛かり棒５の上端部側面に設けた前記係止孔１０に常時係入するように付勢されることを特徴とする。
【０００９】
請求項４は、請求項１に記載の可搬式作業台において、前記妻側端部感知バー７の係止突部９は、バー本体部７ｏの弾性力によって、前記一方の手掛かり棒５の下端部側面に設けた前記係止孔１１に常時係入するように付勢されることを特徴とする。
【発明の効果】
【００１０】
上記解決手段による発明の効果を、後述する実施形態の参照符号を付して説明すると、請求項１に係る発明によれば、天板１の短手方向に対向する両手掛かり棒５，５間に妻側端部感知バー７を架け渡すのに、この感知バー７の基端部８を、天板１の短手方向に対向する両手掛かり棒５，５の一方の手掛かり棒５の上端部に、感知バー７が天板１の長手方向と直交する面に沿って回動するように軸着し、感知バー７の先端部に形成した係止突部９を、他方の手掛かり棒５の上端部側面に設けた係止孔１０に係脱自在に係入するようにしたもので、妻側端部感知バー７を使用する時は、この感知バー７を、基端部８を中心に回動させて、先端部の係止突部９を、他方の手掛かり棒５の上端部側面の係止孔１０に係入すればよく、また感知バー７を使用しない時は、基端部８を中心に回動させて一方の手掛かり棒５に沿うように折り畳んで収納しておくことができるから、妻側端部感知バー７の取り付け及び取り外しを迅速容易に行うことができる。
【００１１】
請求項２に係る発明によれば、前記一方の手掛かり棒５の下端部側面には、妻側端部感知バー７をこの一方の手掛かり棒５に沿うように折り畳んで収納する時に前記係止突部９が係脱自在に係入する係止孔１１を設けているから、この係止孔１１に係止突部９を係入することによって、妻側端部感知バー７を折り畳み収納位置に固定させことができ、可搬式作業台Ｔの梱包時や運搬時に感知バー７がブラブラするようなことがなく非常に有効となる。
【００１２】
請求項３に係る発明によれば、妻側端部感知バー７の使用時に、係止突部９は、バー本体部７ｏの弾性力によって、前記他方の手掛かり棒５の上端部側面に設けた前記係止孔１０に常時係入するように付勢されるから、感知バー７の使用時に係止突部９を係止孔１０に係入した状態に保持するための特別なロック手段が不要となり、構造の簡素化を図ることができる。
【００１３】
請求項４に係る発明によれば、妻側端部感知バー７を折り畳んだ時にも、係止突部９をバー本体部７ｏの弾性力によって、前記一方の手掛かり棒５の下端部側面に設けた前記係止孔１１に常時係入するように付勢されるから、感知バー７の折り畳み収納時に係止突部９を係止孔１１に係入した状態に保持するための特別なロック手段が不要となり、構造の簡素化を図ることができる。
【図面の簡単な説明】
【００１４】
【図１】(a) は本発明に係る可搬式作業台の実施形態を示す平面図、(b) は正面図である。
【図２】(a) は同可搬式作業台の側面図、(b) は図１の(b) のＡ−Ａ線拡大断面図である。
【図３】図１の(a) の矢印Ｂで示す部分の拡大図である。
【図４】(a) は両脚体を折り畳んだ状態の可搬式作業台の底面図、(b) は(a) のように折り畳んだ可搬式作業台を積み重ねた状態の正面図である。
【発明を実施するための形態】
【００１５】
以下に本発明の可搬式作業台の好適な実施形態を図面に基づいて説明すると、図１及び図２に示す作業台Ｔにおいて、天板１の左右両端に、夫々梯子状の脚体２，２が、夫々回転金具３によって、図１の(a) に示すように末広がり状に傾斜して起立した開脚状態と、天板１の下面に沿うように折り畳んだ閉脚状態（図４参照）との間で開閉可能に設けられ、天板１と各脚体２との間には途中で屈曲自在なステイ４が介装されている。各梯子状脚体２は、図２の(a) に示すように若干末広がり状に配置された両側一対の脚柱２ａ，２ａと、両脚柱２ａ，２ａ間に複数段に横架された踏桟２ｂとによって構成される。
【００１６】
天板１の四隅部には、脚体２と天板１との昇降口に位置するように手掛かり棒５が設けられ、各手掛かり棒５は、その下端部が、脚体２の外側面側上端部に装着された取付金具６により回転可能に枢着されて、図１の(a) 及び図２の(a) に実線で示すような起立姿勢と、図１の(a) 及び図２の(a) に仮想線で示すように、梯子状脚体２の脚柱２ａに沿って折り畳まれた折畳姿勢とに姿勢変更できるようになっている。
【００１７】
そして、天板１の短手方向に対向する両手掛かり棒５，５の一方の手掛かり棒５の上端部と他方の手掛かり棒５の上端部との間に、天板１の妻側端部であることを知らせるための妻側端部感知バー７が架け渡されるようになっている。この妻側端部感知バー７は、天板１上で作業している作業者がこれに触れた時に、その触れた地点が天板１の桁側端部であることを感知させるためのもので、作業者が体重をかけたり、少し強く触ったら潰れるような構造的強度の弱いものであって、対向する手掛かり棒の上端部間に手摺りとして架け渡される上横桟とは全く役割が異なるものである。もっとも、構造的強度の高い手摺り部材を用いることを除外するものではない。
【００１８】
妻側端部感知バー７は、金属線材によって形成されたもので、図３から分かるように、その基端部８を、天板１の短手方向に対向する両手掛かり棒５，５の一方の手掛かり棒５の上端部に、この感知バー７が天板１の長手方向と直交する面に沿って回動するように軸着し、妻側端部感知バー７の先端部に形成した係止突部９を、他方の手掛かり棒５の上端部側面に設けた係止孔１０に係脱自在に係入するようになっており、この係止突部９は、バー本体部７ｏの有する弾性力によって、前記係止孔１０に常時係入するように付勢される。
【００１９】
この妻側端部感知バー７が枢着されている前記一方の手掛かり棒５の下端部側面には、図２の(b) に示すように、妻側端部感知バー７を当該一方の手掛かり棒５に沿うように回動して折り畳んだ時に前記係止突部９が係脱自在に係入する係止孔１１を設けている。
【００２０】
また図１の(b) 及び図３に示すように、この妻側端部感知バー７のバー本体部７ｏは、ある程度の剛性を持たせるために略々台形状に折曲形成されており、このバー本体部７ｏの一端部から直角に折曲延設された基端部８が支軸部として、一方の手掛かり棒５の上端部に回転可能に軸着されており、この本体部７ｏの他端部から直角に折曲延設された係止突部９が、他方の手掛かり棒５の上端部側面に設けられた係止孔１０に、バー本体部７ｏの有する弾性力によって常時係入し得るようになっている。
【００２１】
上記のように構成される可搬式作業台Ｔの使用法について説明すると、図１は作業台Ｔの使用状態を示したもので、両脚体２，２が開脚され、各手掛かり棒５が起立姿勢に保持されていて、短手方向に対向する手掛かり棒５，５の上端部間には妻側端部感知バー７が使用状態に架け渡されている。
【００２２】
従って、脚体２から天板１に上がる作業者は、手掛かり棒５を掴むことによって安全を確保しつつ天板１の上に上がることができる。そして、天板１の上で作業する作業者は、短手方向に対向する手掛かり棒５，５間に妻側端部感知バー７が架け渡されているから、この妻側端部感知バー７に触れた時に、その触れた地点が天板１の妻側端部であることを感知することができ、その妻側端部から転落するなどの事故を防止することができる。
【００２３】
そして上記作業台Ｔを使用後に折り畳む時は、先ず、妻側端部感知バー７を折り畳む。この感知バー７の折り畳みにあたって、作業者は、図３に示すように、感知バー７の先端部側を手で矢印方向に引っ張って、弾性付勢力で手掛かり棒５の上端部側面の係止孔１０に係入されている係止突部９を係止孔１０から抜き出し、その状態でこの感知バー７を、図２の(a) に示すように、基端部８を中心として天板１の長手方向と直交する面に沿って約２７０°回動させ、先端部の係止突部９を手掛かり棒５の下端部側面にある係止孔１１に係入し、図２の(a) ，(b) に仮想線で示すように手掛かり棒５の側面に添わせた収納状態に保持する。
【００２４】
こうして妻側端部感知バー７を手掛かり棒５に沿うように折り畳み収納した後、各手掛かり棒５を、図１の(a) 及び図２の(a) に仮想線で示すように脚体２の脚柱２ａに沿って折り畳み、そしてさらに図４の(a) ，(b) に示すように、両脚体２，２を天板１の下面に平行に沿うように折り畳み閉脚して、作業台Ｔの全体が偏平状態となるように折り畳む。このように作業台Ｔの全体を偏平状態に折り畳むことにより、運搬や保管に便利となる。図４の(b) は偏平状態に折り畳んだ複数の作業台Ｔを積み重ねた状態を示す。
【００２５】
尚、妻側端部感知バー７を折り畳み収納した手掛かり棒５を図１の(a) 及び図２の(a) に仮想線で示すように脚体２の脚柱２ａに沿って折り畳んだ状態から、妻側端部感知バー７を同図の実線で示す使用状態とするには、上述した折り畳み時の操作と逆の操作を行えばよい。即ち、各手掛かり棒５を折り畳み姿勢から起立姿勢に立ち上げた後、弾性付勢力で手掛かり棒５の下端部側面の係止孔１１に係入されている感知バー７の係止突部９を、その係止孔１１から抜き出して、この感知バー７を、基端部８を中心に天板１の長手方向と直交する面に沿って図２の(a) に示す矢印と反対方向に約２７０°回動させ、先端部の係止突部９を他方の手掛かり棒５の上端部側面にある係止孔１０に係入させればよい。
【００２６】
以上説明した可搬式作業台Ｔによれば、天板１の短手方向に対向する両手掛かり棒５，５間に妻側端部感知バー７を架け渡すにあたり、この感知バー７の基端部８を、天板１の短手方向に対向する両手掛かり棒５，５の一方の手掛かり棒５の上端部に、感知バー７が天板１の長手方向と直交する面に沿って回動するように軸着し、感知バー７の先端部に形成した係止突部９を、他方の手掛かり棒５の上端部側面に設けた係止孔１０に係脱自在に係入するようにしたもので、妻側端部感知バー７の使用あたっては、この感知バー７を、一方の手掛かり棒５の上端部に軸着されている基端部８を中心に回動させて、先端部の係止突部９を、他方の手掛かり棒５の上端部側面の係止孔１０に係入すればよく、また感知バー７を使用しない時は、他方の手掛かり棒５の上端部側面の係止孔１０に係入されている係止突部９を抜き出して、基端部８を中心に図２の(a) に矢印で示すように約２７０°回動させて一方の手掛かり棒５に沿うように折り畳み収納すればよいから、妻側端部感知バー７の取り付け及び取り外しを迅速容易に行うことができる。
【００２７】
また、一方の手掛かり棒５の下端部側面には、妻側端部感知バー７をこの一方の手掛かり棒５に沿うように回動して折り畳んだ時に係止突部９が係脱自在に係入する係止孔１１を設けているから、感知バー７を折り畳み収納位置に固定させことができ、可搬式作業台Ｔの梱包時や運搬時に感知バー７がブラブラするようなことがなく非常に有効である。
【００２８】
また、この妻側端部感知バー７は、使用時には、係止突部９が、バー本体部７ｏの弾性付勢力によって、他方の手掛かり棒５の上端部側面に設けた係止孔１０に常時係入するように付勢されるし、またこの感知バー７の折り畳んだ時にも、係止突部９が、同じくバー本体部７ｏの弾性付勢力によって、一方の手掛かり棒５の下端部側面に設けた係止孔１１に常時係入するように付勢されるから、使用時及び折り畳み収納時に係止突部９を係止孔１０に係入した状態に保持するための特別なロック手段が不要となって、構造の簡素化を図ることができる。
【符号の説明】
【００２９】
Ｔ            可搬式作業台
１            天板
２            脚体
２ａ          脚柱
２ｂ          踏桟
５            手掛かり棒
７            妻側端部感知バー
７ｏ          バー本体部
８            妻側端部感知バーの基端部
９            妻側端部感知バーの先端部の係止突部
１０          係止孔
１１          係止孔
【図１】
2011169069.tif 000003
【図２】
2011169069.tif 000004
【図３】
2011169069.tif 000005
【図４】
2011169069.tif 000006